(57)【要約】【課題】作動の確実性を維持できる、加圧ガスを使用したガス発生器。【解決手段】作動時、加圧ガス室出口を閉塞する破裂板に破壊手段のロッド部62を衝突させて開口させる。ロッド部62の凹部74を除いた部分は破裂板に衝突するが、凹部74がある部分は衝突しない。このため、破裂板は一部が破壊されず、残部が破壊された状態で、非破壊部分にて折れ曲がるように開口する。【選択図】図４
2015223962.tif 000002
【特許請求の範囲】
【請求項１】
第１端部側の開口部に点火手段が固定され、軸方向に反対側の第２端部側が閉塞された筒状ハウジング内において、第１端部側から順に点火手段を備えた点火手段室、ガス排出口を有するガス流入室、および加圧ガス室が配置されており、
前記加圧ガス室と前記ガス流入室の間のガス流出口が破裂板で閉塞されており、
前記点火手段室と前記ガス流入室の間には、前記筒状ハウジングの内壁面に外周面が当接されたベース部と、前記ベース部から前記破裂板側に延ばされたロッド部とからなる破壊手段を有しており、前記ロッド部がロッド本体部とその先端部に半径方向に拡径されたロッド拡径部を有するものであり、
前記ロッド拡径部が、前記破裂板側に向いた先端面部と、前記先端面部から前記ロッド本体部に至る周壁部を有しているものであり、
前記ロッド拡径部の先端面部が、前記破裂板の破壊部と非破壊部を有しているものであり、
前記非破壊部が、前記先端面部の周縁を含む部分に形成された厚さ方向への凹部であり、前記破壊部が前記先端面部の前記凹部を除いた残部であり、
前記凹部からなる非破壊部の周方向の範囲が、前記先端面部の中心を基点とした角度が１００度以下の範囲である、ガス発生器。
【請求項２】
前記ロッド拡径部の先端面部の非破壊部が、前記ロッド拡径部の先端面部の周縁を含む部分に対して垂直方向または斜め方向に切断された切断部である、請求項１記載のガス発生器。
【請求項３】
前記ロッド拡径部の先端面部の非破壊部が、前記先端面部と前記周壁部の境界部分に形成された曲面部である、請求項１記載のガス発生器。
【請求項４】
前記ロッド拡径部の先端面部が、前記ロッド部の中心軸に対して垂直な平面であるか、または前記ロッド部の中心軸に対して傾斜した平面である、請求項１〜３のいずれか１項に記載のガス発生器。
【請求項５】
第１端部側の開口部に点火手段が固定され、軸方向に反対側の第２端部側が閉塞された筒状ハウジング内において、第１端部側から順に点火手段を備えた点火手段室、ガス排出口を有するガス流入室、および加圧ガス室が配置されており、
前記加圧ガス室と前記ガス流入室の間のガス流出口が破裂板で閉塞されており、
前記点火手段室と前記ガス流入室の間には、前記筒状ハウジングの内壁面に外周面が当接されたベース部と、前記ベース部から前記破裂板側に延ばされたロッド部とからなる破壊手段を有しており、前記ロッド部がロッド本体部とその先端部に半径方向に拡径されたロッド拡径部を有するものであり、
前記ロッド拡径部が、前記破裂板側に向いた先端面部と、前記先端面部から前記ロッド本体部に至る周壁部を有しているものであり、
前記ロッド拡径部の先端面部が、前記破裂板の破壊部と非破壊部を有しているものであり、
前記ロッド拡径部の先端面部の非破壊部が、前記ロッド拡径部の先端面部に対して垂直方向または斜め方向に切断された切断部であり、前記破壊部が前記先端面部の前記切断部を除いた残部であり、
前記切断部からなる非破壊部の周方向の範囲が、前記先端面部の中心を基点とした角度が１８０度未満の範囲である、ガス発生器。
【請求項６】
前記ロッド拡径部の先端面部が、前記ロッド先端部の中心軸に対して垂直な平面であるか、または前記ロッド先端部の中心軸に対して傾斜した平面である、請求項５記載のガス発生器。
【発明の詳細な説明】
【技術分野】
【０００１】
本発明は、車両に搭載するエアバッグ装置に使用できる、加圧ガスを使用したガス発生器に関する。
【背景技術】
【０００２】
特許文献１の図１には、ガス源として加圧ガスとガス発生剤を併用したエアバッグ装置用ガス発生装置が記載されている。
図１のガス発生装置は、ガスボンベ１５内部には加圧ガスが充填され、封板１７で閉塞されたボトルに対して、起爆部材３２の作動でピストン２２を飛翔させてガスボンベ１５の開口部を開くことで作動するものである。
【０００３】
ピストン２２の先端部には切刃部２３（図６）が配置され、この切刃部２３は断面形状が半円形状となっている。
封板１７は、充填ガスの影響で切刃部２３に向かって凸状に変形（凸形部３７）しており（図３、図４）、作動時には、切刃部２３が封板１７の平板部３６と凸形部３７の境界部分に衝突して、前記境界部分を半円形状に切断して、ガスボンベ１５内からのガスの流出によって切断されなかった部分からピストン２２側に折れ曲がる（図９）。
【０００４】
封板１７が切刃部２３で切断されたとき、例えば、平板部３６と凸形部３７の境界部分の２／３が切断され、１／３が切断されていない場合には、図９のように折れ曲がり易いと考えられる。
しかし、平板部３６と凸形部３７の境界部分は半分が切断されているが、半分は切断されずに残っているため、図９に示すように折れ曲がることは難しいと考えられる。
また、図９に示すように折れ曲がったとしても、凸形部３７がピストン２２側に折れ曲がるときにピストン２２と接触して、開口が不十分になるおそれもある。
さらに、凸形部３７が図９の状態に折れ曲がったとしても、ガスボンベ１５からのガス流出口が小さく、ガスの流出が阻害されるおそれもある。
【先行技術文献】
【特許文献】
【０００５】
【特許文献１】特開平９−５８３９４号公報
【発明の概要】
【発明が解決しようとする課題】
【０００６】
本発明は、車両に搭載するエアバッグ装置用に使用できる、加圧ガスを使用したガス発生器であり、車両の耐用年数の間、作動の確実性を維持することができるガス発生器を提供することを課題とする。
【課題を解決するための手段】
【０００７】
本発明は、課題の解決手段として、
第１端部側の開口部に点火手段が固定され、軸方向に反対側の第２端部側が閉塞された筒状ハウジング内において、第１端部側から順に点火手段を備えた点火手段室、ガス排出口を有するガス流入室、および加圧ガス室が配置されており、
前記加圧ガス室と前記ガス流入室の間のガス流出口が破裂板で閉塞されており、
前記点火手段室と前記ガス流入室の間には、前記筒状ハウジングの内壁面に外周面が当接されたベース部と、前記ベース部から前記破裂板側に延ばされたロッド部とからなる破壊手段を有しており、前記ロッド部がロッド本体部とその先端部に半径方向に拡径されたロッド拡径部を有するものであり、
前記ロッド拡径部が、前記破裂板側に向いた先端面部と、前記先端面部から前記ロッド本体部に至る周壁部を有しているものであり、
前記ロッド拡径部の先端面部が、前記破裂板の破壊部と非破壊部を有しているものであり、
前記非破壊部が、前記先端面部の周縁を含む部分に形成された厚さ方向への凹部であり、前記破壊部が前記先端面部の前記凹部を除いた残部であり、
前記凹部からなる非破壊部の周方向の範囲が、前記先端面部の中心を基点とした角度が１００度以下の範囲である、ガス発生器を提供する。
【０００８】
点火手段室は、エアバッグ装置のガス発生器で使用される周知の電気式点火器を含むものであり、必要に応じて伝火薬やガス発生剤を併用することができる。
ガス発生剤から発生するガスは、エアバッグ展開用に使用することができる。
【０００９】
加圧ガス室には、アルゴン、ヘリウム、窒素ガスなどのガスが所要圧力で充填されている。
ガス流入室を形成する筒状ハウジングには、ガス排出口が形成されている。なお、ガス排出口を内側から覆う位置に筒状フィルタを配置することができる。
【００１０】
破裂板は、加圧ガス室とガス流入室の間のガス流出口を閉塞しているものであり、筒状ハウジングの内壁面に対して破裂板の周辺部が溶接固定されている。
ガス流出口は、破裂板で閉塞する前の加圧ガス室とガス流入室の間の開口部であり、全体が破裂板で閉塞されている。
【００１１】
点火手段室とガス流入室の間には、前記破裂板の破壊手段が配置されている。
破壊手段は、ベース部と、前記ベース部から破裂板側に延ばされたロッド部とからなるもので、ロッド部はさらにロッド本体部とその先端部に半径方向に拡径されたロッド拡径部を有しているものである。
ベース部は、筒状ハウジングの内壁面に外周面が当接されることで、点火手段室とガス流入室を分離している。ベース部の外径と筒状ハウジングの内径は同程度である。
ロッド部は、ベース部から破裂板側に延ばされているものであり、ロッド部の外径はベース部の外径よりも十分に小さいものである。
【００１２】
ロッド拡径部は、前記破裂板側に向いた先端面部と、前記先端面部から前記ロッド本体部に至る周壁部を有している。
ロッド拡径部は、次のようなものにすることができる。
（I）ロッド拡径部が、ロッド本体部の外径よりも大きな円板部であるもの。前記円板部の破裂板側の面が先端面部となり、前記円板部の周面と前記先端面部の反対面が周壁部となる。
（II）ロッド拡径部が、ロッド本体部から延ばされた円錐台部であるもの。前記円錐台部の破裂板側の面が先端面部となり、前記円錐台部の斜面が周壁部となる。
（III）ロッド拡径部が、ロッド本体部の外径よりも大きな円板部と、前記円板部から前記ロッド本体部まで延ばされた斜面部であるもの。前記円板部の破裂板側の面が先端面部となり、前記円板部の周面と斜面部の両方が周壁部となる。
ロッド拡径部は、ロッドの中心軸と先端面部の中心（先端面部が円や正多角形でないときは面積中心）は一致していてもよいし、一致していなくてもよい。
ロッド拡径部が、ロッドの中心軸と先端面部の中心が一致していないものは、ロッドの中心軸から一方向のみに拡径されたようなものである。
【００１３】
先端面部は、中心（先端面部が円や正多角形でないときは面積中心）を含む部分が厚さ方向に窪んでいるものでもよいし、同一平面を形成しているものでもよい。
【００１４】
前記先端面部は、前記破裂板の破壊部と非破壊部を有している。
前記先端面部の内の破裂板の破壊部は、作動時において破裂板と接触（衝突）する部分であり、前記先端面部の内の破裂板の非破壊部は、作動時において破裂板と接触（衝突）しないか、前記破壊部と比べると接触（衝突）の程度が小さい（即ち、破裂板に与える衝撃の強さが破壊部と比べると小さい）部分である。
非破壊部は、前記先端面部の周縁を含む部分に形成された厚さ方向への凹部またはロッド拡径部の先端面部に対して垂直方向または斜め方向に切断された切断部であり、先端面部の凹部のない部分が破壊部となる。
前記凹部は、環状平面部の一部に形成された切り欠きであり、切り欠きがない部分よりも凹んだ状態になっているものであり、切り欠きの形状は特に制限されるものではない。
非破壊部となる凹部は、周方向の範囲が先端面部の中心（先端面部が円や正多角形でないときは面積中心）を基点とした角度が１００度以下の範囲のものであり、先端面部の半径方向に拡がっていてもよく、先端面部の中心まで延ばされていてもよい。
非破壊部となる凹部の周方向の範囲（切り欠きの幅）は、切り欠きの形状に応じて２０度〜１００度の範囲内で調整することができる。
前記非破壊部を形成する凹部の深さは、前記凹部のない破壊部の厚さを１としたとき、凹部のある非破壊部の厚さが０．５〜０．９の範囲になるようにすることができる。
凹部の深さは均一でなくてもよく、周縁部が最も深く、中心方向が相対的浅くなるようにすることができる。
【００１５】
破壊手段が破裂板と衝突するとき、ロッド拡径部が破裂板と衝突することになるが、そのとき、ガス流出入室側に湾曲している破裂板がロッド部によって押され加圧ガス室側に変形する。この状態で前記凹部のない部分（破壊部）が破裂板と衝突して破裂板を切断し、凹部（非破壊部）は破裂板と衝突しないため（または衝突しても、衝突時に破裂板に与える衝撃が破壊部と比べると十分に小さいため）、凹部と正対する破裂板は切断されない。
このため、破裂板は切断されない部分で折れ曲がることになり、特許文献１の場合と比べると折れ曲がりやすくなる。
なお、ロッド拡径部の最大外径（ｄ２）は、加圧ガス室とガス流入室の間のガス流出口の内径（ｄ１）よりも僅かに小さい程度である（ｄ１＞ｄ２であり、ｄ１／ｄ２が１に近い数値となる）。
【００１６】
上記ガス発生器は、前記ロッド拡径部の先端面部の非破壊部が、前記ロッド拡径部の先端面部の周縁を含む部分に対して垂直方向に切断された切断部であるものにすることができる。
非破壊部となる切断部は、上記発明と同様に、周方向の範囲が先端面部の中心を基点とした角度が１００度以下の範囲のものである。
破壊手段が破裂板と衝突するとき、ロッド拡径部が破裂板と衝突することになるが、そのとき、前記切断部のない部分（破壊部）が破裂板と衝突して破裂板を切断し、切断部（非破壊部）は破裂板と衝突しないか、または衝突しても、衝突時に破裂板に与える衝撃が破壊部と比べると十分に小さいため、切断部と正対する破裂板は切断されない。
【００１７】
上記ガス発生器は、前記ロッド拡径部の先端面部の非破壊部が、前記先端面部と前記周壁部の境界部分に形成された曲面部であるものにすることができる。
非破壊部となる曲面部は、上記発明と同様に、周方向の範囲が先端面部の中心を基点とした角度が１００度以下の範囲のものである。
破壊手段が破裂板と衝突するとき、ロッド拡径部が破裂板と衝突することになるが、そのとき、前記曲面部のない部分（破壊部）が破裂板と衝突して破裂板を切断し、曲面部（非破壊部）は破裂板と衝突しても、衝突時に破裂板に与える衝撃が破壊部と比べると十分に小さいため、切断部と正対する破裂板は切断されない。
【００１８】
上記発明のガス発生器は、前記ロッド拡径部の先端面部が、前記ロッドの中心軸に対して垂直な平面であるか、または前記ロッドの中心軸に対して傾斜した平面であるものにすることができる。
先端面部が前記垂直な平面であるときは、破裂板には破壊部が先に衝突し、非破壊部は衝突しないか、衝突するときでも遅れて衝突する。
【００１９】
先端面部が前記傾斜面であるときは、破裂板との位置関係において、破裂板から最も近い傾斜面部分（先端部）と破裂板から最も遠い傾斜面部（後端部）を有しており、先端面部は、先端部から後端部に向かって、破裂板から遠ざかるようになっている。
先端面部が前記傾斜面であるときは、先端部が最初に破裂板に衝突し、後端部が最後に破裂板に衝突することになる。
先端面部が前記傾斜面であるときは、非破壊部の形成位置は後端部を含む部分に形成することが、破裂板が破壊されたときに破裂板の非破壊部分を残す観点からは好ましい。
【００２０】
本発明は、課題の他の解決手段として、
第１端部側の開口部に点火手段が固定され、軸方向に反対側の第２端部側が閉塞された筒状ハウジング内において、第１端部側から順に点火手段を備えた点火手段室、ガス排出口を有するガス流入室、および加圧ガス室が配置されており、
前記加圧ガス室と前記ガス流入室の間のガス流出口が破裂板で閉塞されており、
前記点火手段室と前記ガス流入室の間には、前記筒状ハウジングの内壁面に外周面が当接されたベース部と、前記ベース部から前記破裂板側に延ばされたロッド部と、前記ロッド部の先端部が半径方向に拡径されたロッド拡径部を有する破壊手段が配置されているものであり、
前記ロッド拡径部が、前記破裂板側に向いた先端面部と、前記先端面部から前記ロッド部の先端部に至る周壁部を有しているものであり、
前記ロッド拡径部の先端面部が、前記破裂板の破壊部と非破壊部を有しているものであり、
前記ロッド拡径部の先端面部の非破壊部が、前記ロッド拡径部の先端面部に対して垂直方向または斜め方向に切断された切断部であり、前記破壊部が前記先端面部の前記切断部を除いた残部であり、
前記切断部からなる非破壊部の周方向の範囲が、前記先端面部の中心を基点とした角度が１８０度未満の範囲である、ガス発生器を提供する。
【００２１】
本発明は、非破壊部として切断部を有するものであるが、切断部の周方向の範囲が１８０度未満であることが上記ガス発生器と異なっている。
非破壊部である切断部の周方向の範囲は、１００度超〜１８０度未満の範囲が好ましく、１０５度〜１７５度の範囲にすることがより好ましい。
【００２２】
上記発明のガス発生器は、前記ロッド拡径部の先端面部が、前記ロッドの中心軸に対して垂直な平面であるか、または前記ロッドの中心軸に対して傾斜した平面であるものにすることができる。
先端面部が前記平面であるときは、破裂板には破壊部が先に衝突し、非破壊部は衝突しないか、衝突するときでも遅れて衝突する。
【００２３】
先端面部が前記傾斜面であるときは、破裂板との位置関係において、破裂板から最も近い傾斜面部分（先端部）と破裂板から最も遠い傾斜面部（後端部）を有しており、先端面部は、先端部から後端部に向かって、破裂板から遠ざかるようになっている。
先端面部が前記傾斜面であるときは、先端部が最初に破裂板に衝突し、後端部が最後に破裂板に衝突することになる。
先端面部が前記傾斜面であるときは、非破壊部の形成位置は後端部に形成することが、破裂板が破壊されたときに非破壊部分を残す観点からは好ましい。
【００２４】
破壊手段は、作動時にベース部が筒状ハウジングを軸方向に摺動して、ロッド拡径部が破裂板を破壊するものでもよいし、ベース部が筒状ハウジングに固定されており、ロッド部とロッド拡径部がベース部から脱離して飛び出して、ロッド拡径部が破裂板を破壊するものでもよい。
ベース部が軸方向に移動するものの場合には、ベース部は、厚さ方向に貫通孔を有しているものを使用する。前記貫通孔は、点火手段から発生したガスなどをガス流入空間内に流入させるための通過孔となる。
ベース部が固定されているものの場合には、ベース部が中心部に厚さ方向への貫通孔を有し、前記貫通孔にロッド部が嵌め込まれているものを使用する。ロッド部が脱離した後の貫通孔は、点火手段から発生したガスなどをガス流入空間内に流入させるための通過孔となる。
【発明の効果】
【００２５】
本発明のガス発生器は、車両のエアバッグ装置に使用したとき、車両の耐用年数の間、作動の確実性を維持することができる。
【図面の簡単な説明】
【００２６】
【図１】本発明のガス発生器の軸Ｘ方向の断面図。
【図２】（ａ）は、図１の部分拡大図で作動前の状態を示しており、（ｂ）は図１の部分拡大図で作動後の状態を示している。
【図３】（ａ）〜（ｆ）は、本発明のガス発生器で使用できるロッド部（ロッド本体部とロッド拡径部）の実施形態を示す正面図。
【図４】（ａ）は図１で使用するロッド部（ロッド本体部とロッド拡径部）の斜視図、（ｂ）は（ａ）の正面図、（ｃ）は（ａ）の平面図。
【図５】図４とは別実施形態のロッド部（ロッド本体部とロッド拡径部）の斜視図。
【図６】（ａ）、（ｂ）は、いずれも図４とは別実施形態のロッド部（ロッド本体部とロッド拡径部）の斜視図。
【図７】（ａ）は図４とは別実施形態のロッド部（ロッド本体部とロッド拡径部）の斜視図、（ｂ）は（ａ）の平面図。
【図８】（ａ）は図４とは別実施形態のロッド部（ロッド本体部とロッド拡径部）の斜視図、（ｂ）は（ａ）の正面図。
【図９】（ａ）、（ｂ）は、いずれも図４とは別実施形態のロッド部（ロッド本体部とロッド拡径部）の斜視図。
【図１０】図３（ｅ）に示すロッド部を有する破壊手段を使用したガス発生器の動作を示す軸方向断面図。
【図１１】図３（ｄ）に示すロッド部を有する破壊手段を使用したガス発生器の動作を示す軸方向断面図。
【発明を実施するための形態】
【００２７】
図１に示すガス発生器１は、筒状ハウジング１０内において、点火器２５側から点火手段室３０、ガス流入室４０、および加圧ガス室５０が配置されている。
筒状ハウジング１０は、点火手段室ハウジング１１と加圧ガス室ハウジング１２からなるものであるが、全体として１つのハウジングからなるものでもよい。
点火手段室ハウジング１１は、第１端部１１ａ側の開口部に電気式点火器２５が固定されている。
加圧ガス室ハウジング１２の第２端部１２ａ側は閉塞されている（閉塞面１３）。
点火手段室ハウジング１１の第２端部１１ｂの開口部と加圧ガス室ハウジング１２の第１端部１２ｂの開口部が接合部１４において溶接一体化されている。
筒状ハウジング１０（点火手段室ハウジング１１と加圧ガス室ハウジング１２）は、鉄、ステンレスなどからなるものである。
【００２８】
加圧ガス室５０内には、アルゴン、ヘリウムなどのガスが高圧で充填されている。
ガスは、加圧ガス室ハウジング１２の閉塞面１３のガス充填孔から充填される。
ガス充填孔は、ガス充填後にピン１５を差し込んだ状態で、ピン１５と閉塞面１３が共に溶接されることで閉塞されている。
【００２９】
加圧ガス室５０とガス流入室４０の間は破裂板４７で閉塞されている。
破裂板４７は、鉄、ステンレスなどからなるものであり、点火手段室ハウジング１１側に溶接固定されている。
破裂板４７は、加圧ガス室５０に充填された加圧ガスの圧力によって、ガス流入室４０側に湾曲している。
【００３０】
ガス流入室４０は、作動時において加圧ガス室５０からガスが流入し、点火手段室３０から燃焼ガスが流入する空間である。
図２に示すとおり、ガス流入室４０に面した点火手段室ハウジング１１には、複数のガス排出口２９が形成されている。
複数のガス排出口２９は、点火手段室ハウジング１１の周方向に均等間隔をおいて形成されており、内側からシールテープ２８で閉塞されている。
複数のガス排出口２９を内側から覆う位置に筒状フィルタを配置することもできる。
ガス流入室４０は、点火手段室２０から破裂板４７の間に段差部１７が形成されている。段差部１７は、点火手段室ハウジング１１の内径が点火手段室２０から破裂板４７の間で小さくされたことにより形成されているが、段差部１７に代えて、点火手段室ハウジング１１の内周壁面１１ｃから内側に突き出された複数の突起でもよい。
【００３１】
ガス流入室４０と点火手段室３０の間には、ベース部６１と、ベース部６１から破裂板４７側に延ばされたロッド部６２からなる破壊手段６０が配置されている。
図１〜図３に示されている破壊手段６０は、ベース部６１とロッド部６２が一体になっているものであるが、別部材のベース部６１とロッド部６２を組み合わせたものでもよい。この場合作動時にベース部６１からロッド部６２が外れないようにする。
【００３２】
ベース部６１は、厚さ方向に複数の貫通孔６４を有している円板部６５と、円板部６５の外周から点火器２５側に延ばされた筒状壁面部６６からなるものである。
貫通孔６４は、アルミニウムからなるシールテープで点火手段室３０側から閉塞されている。
ベース部６０は、軸Ｘ方向に摺動できるように筒状壁面部６６の外周面６６ａが点火手段室ハウジング１１の内周壁面１１ｃに当接されている。筒状壁面部６６の軸Ｘ方向の長さが円板部６５の厚みより大きい厚いため、ロッド部６２が軸Ｘに対して傾くことがなく、ベース部６１が軸Ｘに平行に摺動する。
筒状壁面部６６は、点火手段室ハウジング１１の内周壁面１１ｃから内側に間隔をおいて突き出された２箇所の突起１６ａ、１６ｂによって、厚さ方向の両側から挟み付けられている。
なお、筒状壁面部６６の外周面６６ａと点火手段室ハウジング１１の内周壁面１１ｃの間には、気密性を維持するためのシール剤が塗布されている。
【００３３】
ロッド部６２は、ベース部６１から延ばされたロッド本体部６８と、ロッド本体部６８から半径方向外側に拡径されたロッド拡径部６９を有している。
ロッド拡径部６９は、軸Ｘ方向に破裂板４７と間隔をおいて正対している。
ロッド拡径部の外径（ｄ２）は、加圧ガス室５０とガス流入室４０の間のガス流出口４６（図２参照）の内径（ｄ１）よりも僅かに小さい程度である（ｄ１＞ｄ２であり、ｄ１／ｄ２が１に近い数値となる）。
ロッド拡径部６９の外径は、ロッド本体部６８の外径の１．２〜１．５倍程度にすることができる。
【００３４】
図１、図２に示すロッド部６２のロッド本体部６８とロッド拡径部６９は、例えば、図３（ａ）〜（ｆ）に示すような実施形態のいずれかにすることができる。
図３（ａ）のロッド部は、ロッド本体部５とロッド本体部５から周方向全体に拡径された円板形状のロッド拡径部６を有している。円板形状のロッド拡径部６は、先端面部７と周壁部８を有している。周壁部８は、周面８ａと先端面部７の反対面８ｂからなる。
【００３５】
図３（ｂ）のロッド部は、ロッド本体部５とロッド本体部５から周方向全体に拡径された円錐台形状のロッド拡径部６を有している。円錐台形状のロッド拡径部６は、先端面部７とロッド本体部５側に外径が小さくなった周壁部（斜面状周壁部）８を有している。
【００３６】
図３（ｃ）のロッド部は、ロッド本体部５とロッド本体部５から周方向全体に拡径されたロッド拡径部６を有している。ロッド拡径部６は、先端面部７と周壁部８を有している。周壁部８は、先端面部７に対して垂直な周壁８ａと、周壁８ａからロッド本体部５まで延ばされた斜面８ｂからなる。
【００３７】
図３（ｄ）のロッド部は、ロッド本体部５とロッド本体部５から一方向のみに拡径された拡径部６を有している。拡径部６は、先端面部７と周壁部８を有している。ロッド本体部５の中心軸と先端面部７の中心は一致していない。
【００３８】
図３（ｅ）のロッド部のロッド本体部５の先端部は、ロッド本体部５の中心軸に対して先端面部７が傾斜したロッド拡径部６を有している。ロッド拡径部６は、先端面部７と周壁部８（周壁部８ａ、８ｂ）を有している。ロッド本体部５の中心軸と先端面部７の中心は一致していない。
【００３９】
図３（ｆ）のロッド部のロッド本体部５の先端部は、前記先端部から一方向のみに拡径されたロッド拡径部６を有している。ロッド拡径部６は、先端面部７と周壁部８（周壁部８ａ、８ｂ）を有している。先端面部７は、一部が傾斜面７ａとなっており、傾斜面７ａは先端面部７と周壁部８との間に形成される。傾斜面７ａが非破壊部としても機能する。ロッド本体部５の中心軸と先端面部７の中心は一致していない。
図３（ａ）〜（ｆ）に示すロッド部は、いずれも先端面部７の周縁を含む部分において、凹部、切断部および曲面部から選ばれる非破壊部と、残部の破壊部を有しているものである。
【００４０】
点火手段室３０には、第１端部１１ａ側に点火器２５が固定されており、軸Ｘ方向の反対側は、ベース部３２で仕切られている。
点火手段室３０内には、所要量のガス発生剤成形体２６が充填されている。
【００４１】
図１、図２に示すガス発生器にて使用している破壊手段６０のロッド部６２の実施形態を説明する。
＜図４の実施形態＞
図４（ａ）、（ｂ）に示すとおり、ロッド部６２は、図１、図２に示すベース部６１から延ばされたロッド本体部６８と、ロッド本体部６８から半径方向外側に拡径されたロッド拡径部６９を有している。
ロッド拡径部６９は、ロッド本体部６８から延ばされた環状斜面部７０と、環状斜面部７０の最大径部から延ばされた円板部７１を有している。環状斜面部７０と円板部の周面７１ａが周壁部を形成している。
円板部７１の表面側（ロッド本体部６８の取り付け部と反対側の面）は、中心を含む内側円形部７２ａと、内側円形部７２ａの外側の環状面部７２ｂからなる先端面部７２を有しており、内側円形部７２ａは全体が厚さ方向に窪んだ球面になっている。
環状面部７２ｂの一部は、厚さ方向への凹部７４を有しており、凹部７４は内側円形部７２ａの中心まで拡がっている。
図４（ｃ）に示すとおり、凹部７４の周方向の範囲は、先端面部７２の中心を基点とした角度αが１００度以下（図４では角度αが４５度以下）の範囲である。
図４に示すロッド本体部６８とロッド拡径部６９は、図３（ｃ）に示す実施形態のものであるが、図３に示す他の実施形態のもので、凹部７４を有しているものにすることもできる。この凹部７４が非破壊部となる。また凹部７４以外での先端面部７２と周面７１ａとの境界部が円周上に延びる角部となり、この角部が破壊部となる。
【００４２】
＜図５の実施形態＞
図５に示すとおり、ロッド部162は、ベース部（図示せず）から延ばされたロッド本体部168と、ロッド本体部168から半径方向外側に拡径されたロッド拡径部169を有している。
ロッド拡径部169は、ロッド本体部168から延ばされた環状斜面部170と、環状斜面部170の最大径部から延ばされた円板部171を有している。環状斜面部170と円板部の周面171aが周壁部を形成している。
円板部171は、中心を含む内側円形部172aと、内側円形部172aの外側の環状面部172bからなる先端面部172を有しており、内側円形部172aは全体が厚さ方向に窪んだ球面になっている。
環状面部172bの一部は、厚さ方向への凹部174を有しており、凹部174は環状面部172bに形成され、内側円形部172aには形成されていない。
図４（ｃ）に示す実施形態と同様に、凹部174の周方向の範囲は、先端面部172の中心を基点とした角度αが１００度以下（図５では角度αが４５度以下）の範囲である。
図５に示すロッド本体部168とロッド拡径部169は、図３（ｃ）に示す実施形態のものであるが、図３に示す他の実施形態のもので、凹部174を有しているものにすることもできる。この凹部174が非破壊部となる。また凹部174以外での先端面部172と周面171aとの境界部が円周上に延びる角部となり、この角部が破壊部となる。
【００４３】
＜図６の実施形態＞
図６（ａ）に示すとおり、ロッド部262は、ベース部（図示せず）から延ばされたロッド本体部268と、ロッド本体部268から半径方向外側に拡径されたロッド拡径部269を有している。
ロッド拡径部269は、ロッド本体部268から延ばされた環状斜面部270と、環状斜面部270の最大径部から延ばされた円板部271を有している。環状斜面部270と円板部の周面271aが周壁部を形成している。
円板部271は、中心を含む内側円形部272aと、内側円形部272aの外側の環状面部272bからなる先端面部272を有しており、内側円形部272aは全体が厚さ方向に窪んだ球面になっている。
環状面部272bの一部は、環状面部272bに対して垂直方向に切断された切断部274aを有している。切断部274aは、円板部271と環状斜面部270の両方にわたって切断された部分である。
図４（ｃ）に示す実施形態と同様に、切断部274aの周方向の範囲は、先端面部272の中心を基点とした角度αが１００度以下の範囲である。
図６（ａ）に示すロッド本体部268とロッド拡径部269は、図３（ｃ）に示す実施形態のものであるが、図３に示す他の実施形態のもので、切断部274aを有しているものにすることもできる。切断部274aが非破壊部となる。また切断部274a以外での先端面部272と周面271aとの境界部が円周上に延びる角部となり、この角部が破壊部となる。
【００４４】
図６（ｂ）に示すロッド部262は、切断部274bが環状面部272bに対して斜め方向に切断されたものであることを除いて、図６（ａ）に示すものと同じである。切断部274bは、円板部271のみが斜めに切断されている。切断部274bの周方向の範囲は、先端面部272の中心を基点とした角度αが１００度以下の範囲であるが、１００度を超え、１８０度未満の範囲なるようにすることができる。切断部274bは曲面であってもよい。
図６（ｂ）に示すロッド本体部268とロッド拡径部269は、図３（ｃ）に示す実施形態のものであるが、図３に示す他の実施形態のもので、切断部274bを有しているものにすることもできる。切断部274bが非破壊部となる。また切断部274b以外での先端面部272と周面271aとの境界部が円周上に延びる角部となり、この角部が破壊部となる。
【００４５】
＜図７の実施形態＞
図７に示すとおり、ロッド部362は、ベース部（図示せず）から延ばされたロッド本体部368と、ロッド本体部368から半径方向外側に拡径されたロッド拡径部369を有している。
ロッド拡径部369は、ロッド本体部368から延ばされた環状斜面部370と、環状斜面部370の最大径部から延ばされた円板部371を有している。環状斜面部370と円板部の周面371aが周壁部を形成している。
円板部371は、中心を含む内側円形部372aと、内側円形部372aの外側の環状面部372bからなる先端面部372を有しており、内側円形部372aは全体が厚さ方向に窪んだ球面になっている。
環状面部372bの一部は、環状面部372bの厚さ方向に形成された凹部374を有している。
凹部374は、環状面部372bの周方向に間隔をおいて形成された２箇所の第１切り欠き部375aおよび第２切り欠き部375bと、第１切り欠き部375aおよび第２切り欠き部375bで周方向に挟まれた部分の面が斜め方向に切断された切断部376からなるものである。
切断部376は、円板部371のみが斜めに切断されている。
図４（ｃ）に示す実施形態と同様に、凹部374の周方向の範囲は、先端面部372の中心を基点とした角度αが１００度以下の範囲であるが、１００度を超え、１８０度未満の範囲なるようにすることができる。
図７に示すロッド本体部368とロッド拡径部369は、図３（ｃ）に示す実施形態のものであるが、図３に示す他の実施形態のもので、切断部376を有しているものにすることもできる。切断部374、第１切り欠き部375aおよび第２切り欠き部375bが非破壊部となる。また非破壊部以外での先端面部372と周面371aとの境界部が円周上に延びる角部となり、この角部が破壊部となる。
【００４６】
＜図８の実施形態＞
図８に示すとおり、ロッド部462は、ベース部（図示せず）から延ばされたロッド本体部468と、ロッド本体部468から半径方向外側に拡径されたロッド拡径部469を有している。
ロッド拡径部469は、ロッド本体部468から延ばされた環状斜面部470と、環状斜面部470の最大径部から延ばされた円板部471を有している。環状斜面部470と円板部の周面471aが周壁部を形成している。
円板部471は、中心を含む内側円形部472aと、内側円形部472aの外側の環状面部472bからなる先端面部472を有しており、内側円形部472aは全体が厚さ方向に窪んだ球面になっている。
環状面部472bの外周部の一部には角部がなく、丸みが付けられた曲面部474が形成されている。
図４（ｃ）に示す実施形態と同様に、曲面部474の周方向の範囲は、先端面部472の中心を基点とした角度αが１００度以下（図８では角度αが４５度以下）の範囲である。
図８に示すロッド本体部468とロッド拡径部469は、図３（ｃ）に示す実施形態のものであるが、図３に示す他の実施形態のもので、曲面部474を有しているものにすることもできる。曲面部474が非破壊部となる。また曲面部474以外の先端面部472と周面471aとの境界部が円周上に延びる角部となり、この角部が破壊部となる。
【００４７】
＜図９の実施形態＞
図９（ａ）に示すとおり、ロッド部562は、ベース部（図示せず）から延ばされたロッド本体部568と、ロッド本体部568から半径方向外側に拡径されたロッド拡径部569を有している。
ロッド拡径部569は、ロッド本体部568から延ばされた円板部571を有しており、周面571aが周壁部を形成し、凹部574aを含む面が先端面部572aとなっている。先端面部572aは平坦面であり、窪みなどはない。
円板部571の周辺部を含む面の一部は、厚さ方向への凹部574aを有している。
図４（ｃ）に示す実施形態と同様に、凹部574aの周方向の範囲は、先端面部572aの中心を基点とした角度αが１００度以下の範囲（図９（ａ）では角度αが４５度以下）である。
図９（ａ）に示すロッド本体部568とロッド拡径部569は、図３（ａ）に示す実施形態のものであるが、図３に示す他の実施形態のもので、凹部574aを有しているものにすることもできる。凹部574aが非破壊部となる。また凹部574a以外での先端面部572aと周面571aとの境界部が円周上に延びる角部となり、この角部が破壊部となる。
【００４８】
図９（ｂ）に示すとおり、ロッド部は、ベース部（図示せず）から延ばされたロッド本体部568と、ロッド本体部568から半径方向外側に拡径されたロッド拡径部569を有している。
ロッド拡径部569は、ロッド本体部568から延ばされた円板部571を有しており、周面571aを含む面が周壁部を形成し、切断部574bを含む面が先端面部572bとなっている。先端面部572bは平坦面であり、窪みなどはない。
円板部571の周辺部を含む面の一部は、厚さ方向への四角形状の切断部574bを有している。
図４（ｃ）に示す実施形態と同様に、切断部574bの周方向の範囲は、円板部571の中心を基点とした角度αが１００度以下（図９（ｂ）では角度αが４５度以下）の範囲である。
図９（ａ）に示すロッド本体部568とロッド拡径部569は、図３（ａ）に示す実施形態のものであるが、図３に示す他の実施形態のもので、切断部574bを有しているものにすることもできる。切断部574bが非破壊部となる。また切断部574b以外の先端面部572bと周面571aとの境界部が円周上に延びる角部となり、この角部が破壊部となる。
【００４９】
図１に示すガス発生器の動作を図２、図４〜図９により説明する。
点火器２５が作動して発生した燃焼生成物によって、ガス発生剤成形体２６が着火燃焼して、高温の燃焼ガスを発生させる。
燃焼ガスにより点火手段室３０内の圧力が上昇すると、破壊手段６０のベース部６１が突起１６ｂを越え、軸Ｘ方向に点火手段室ハウジングの内周壁面１１ｃを摺動しながら移動する。
その後、ベース部６１は、内径が小さくなった段差部１７に衝突して停止するが、ロッド部６２（ロッド本体部６８のロッド拡径部６９）は破裂板４７に衝突して破壊する。
【００５０】
図４に示すロッド部６２を含む破壊手段を使用したときは、次のように動作する。
図２（ａ）に示すとおり、破裂板４７はガス流入室４０側に湾曲した形状をしており、図４に示す先端面部７２の窪みを有する内側円板部７２ａと環状面部７２ｂ（破壊部）は破裂板４７に衝突し破裂板４７が加圧ガス室５０側に向かって変形する。このとき環状面部７２ｂの凹部７４がある部分（非破壊部）は衝突しないか、衝突した場合でも凹部以外の残部の環状面部７２ｂ周辺の角部分よりも破裂板４７に与える衝撃が小さい。
このため、破裂板４７は、凹部７４に正対する部分は破壊されず、残部は破壊されるため、破壊されない部分が残った状態で、破壊された残部は加圧ガス室５０側に折れ曲がって開口する。
その後、加圧ガス室５０内のガスは、破裂板４７が開裂した後のガス流出口４６とロッド本体部６８の間からガス流入室４０内に流入する（図２（ｂ））。
これと並行して、ベース部６１の貫通孔６４を塞ぐシールテープが破られ、貫通孔６４からガス流入室４０内に燃焼ガスが流入する。
ガス流入室４０内に流入した燃焼ガスと加圧ガスは、ガス排出口２９から排出される。
なお、燃焼ガスと加圧ガスの排出状態は、いずれか一方のガスの一部がガス排出口２９から排出された後、残部ガスが混合ガスとして排出されることも考えられるが、ガスの排出状態やタイミングは限定されるものではない。
【００５１】
図２（ａ）、（ｂ）に示す動作において、図４に示すロッド部６２に代えて図５に示すロッド部162を含む破壊手段を使用した場合には、次のように動作する。
先端面部172の窪みを有する内側円板部172aと環状面部172b（破壊部）は破裂板４７に衝突するが、環状面部172bの凹部174がある部分（非破壊部）は衝突し、破裂板４７が加圧ガス室５０側に向かって変形する。このとき衝突した場合でも凹部174以外の残部の環状面部172b周辺の角部分よりも破裂板４７に与える衝撃が小さい。
このため、破裂板４７は、凹部174に正対する部分は破壊されず（非破壊部分）、残部は破壊されるため、図２（ｂ）と同様の状態になり、非破壊部分が残った状態で、残部は加圧ガス室５０側に折れ曲がってガス流出口４６が開口する。
【００５２】
図２（ａ）、（ｂ）に示す動作において、図４に示すロッド部６２に代えて図６（ａ）、（ｂ）に示すロッド部262を含む破壊手段を使用した場合には、次のように動作する。
先端面部272の窪みを有する内側円板部272aと環状面部272b（破壊部）は破裂板４７に衝突し破裂板４７が加圧ガス室５０側に向かって変形する。このとき環状面部272bの切断部274aまたは切断部274bがある部分（非破壊部）は衝突しないか、衝突した場合でも凹部以外の残部の環状面部272b周辺の角部分よりも破裂板４７に与える衝撃が小さい。
このため、破裂板４７は、切断部274aまたは切断部274bに正対する部分は破壊されず（非破壊部分）、残部は破壊されるため、図２（ｂ）と同様の状態になり、非破壊部分が残った状態で、残部は加圧ガス室５０側に折れ曲がってガス流出口４６が開口する。
【００５３】
図２（ａ）、（ｂ）に示す動作において、図４に示すロッド部６２に代えて図７に示すロッド部362を含む破壊手段を使用した場合には、次のように動作する。
先端面部372の窪みを有する内側円板部372aと環状面部372b（破壊部）は破裂板４７に衝突し破裂板４７が加圧ガス室５０側に向かって変形する。このとき環状面部372bの凹部374がある部分（非破壊部）は衝突しないか、衝突した場合でも凹部以外の残部の環状面部372b周辺の角部分よりも破裂板４７に与える衝撃が小さい。
このため、破裂板４７は、凹部374に正対する部分は破壊されず、残部は破壊されるため、図２（ｂ）と同様の状態になり、破壊されない部分が残った状態で、破壊された残部は加圧ガス室５０側に折れ曲がってガス流出口４６が開口する。
【００５４】
図２（ａ）、（ｂ）に示す動作において、図４に示すロッド部６２に代えて図８に示すロッド部462を含む破壊手段を使用した場合には、次のように動作する。
先端面部472の窪みを有する内側円板部472aと環状面部472b（破壊部）は破裂板４７に衝突し破裂板４７が加圧ガス室５０側に向かって変形する。このとき環状面部472bの曲面部474がある部分（非破壊部）は衝突しないか、衝突した場合でも曲面部以外の残部の環状面部472b周辺の角部分よりも破裂板４７に与える衝撃が小さい。
このため、破裂板４７は、曲面部474に正対する部分は破壊されず、残部は破壊されるため、図２（ｂ）と同様の状態になり、破壊されない部分が残った状態で、破壊された残部は加圧ガス室５０側に折れ曲がってガス流出口４６が開口する。
【００５５】
図２（ａ）、（ｂ）に示す動作において、図４に示すロッド部６２に代えて図９（ａ）、（ｂ）に示すロッド部562を含む破壊手段を使用した場合には、次のように動作する。
先端面部572a、572bの中心部分と湾曲した破裂板４７の中心部分が衝突した後、ロッド部562（拡径部569）が破裂板４７を押し込みながら加圧ガス室５０側に移動する過程で、先端面部572a（破壊部）が破裂板４７に衝突し、破裂板４７は加圧ガス室５０側に向かって変形する。このとき、凹部574aまたは切断部574bがある部分（非破壊部）は衝突しないか、衝突した場合でも凹部以外の残部の環状面部573周辺の角部分よりも破裂板４７に与える衝撃が小さい。
このため、破裂板４７は、凹部574aまたは切断部574bに正対する部分は破壊されず、残部は破壊されるため、図２（ｂ）と同様の状態になり、破壊されない部分が残った状態で、破壊された残部は加圧ガス室５０側に折れ曲がってガス流出口４６が開口する。
【００５６】
＜図１０の実施形態＞
図２（ａ）、（ｂ）に示す動作において、図４に示すロッド部６２に代えて図１０（ｂ）に示すロッド662を使用した実施形態の動作を図１０（ａ）により説明する。
図１０（ｂ）のロッド部662は、図３（ｅ）に示すロッド部に相当するものである。
ロッド部662のロッド本体部668の先端部は、ロッド本体部（先端部）668の中心軸に対して傾斜した平面（先端面部672）と周壁部671を有するロッド拡径部669を有している。
ロッド拡径部669の先端面部672は、破裂板４７との位置関係において、破裂板４７から最も近い部分（先端部）672aと破裂板４７から最も遠い部分（後端部672b）を有している。
先端面部672の後端部672bには、切断部674が形成されている。切断部674は先端面部672に対して傾斜した面である。
作動前には、ロッド拡径部669は、先端部672aから後端部672bに向かって、破裂板４７から遠ざかるように配置されている。
【００５７】
作動時、拡径部669の先端面部672の内、破裂板４７から最も近い先端部672aが最初に衝突し、最後に破裂板４７から最も遠い後端部672bが衝突する。このとき、切断部674（非破壊部）は衝突しないか、衝突した場合でも後端部以外の先端面部772周辺の角部よりも破裂板４７に与える衝撃が小さい。
このため、破裂板４７は、切断部674に正対する部分は破壊されず、残部は破壊されるため、破壊されない部分が残った状態で、破壊された残部は先端面部672により押され、加圧ガス室５０側に折れ曲がってガス流出口４６が開口する。
【００５８】
＜図１１の実施形態＞
図２（ａ）、（ｂ）に示す動作において、図４に示すロッド部６２に代えて図１１（ｂ）に示すロッド部762を使用した実施形態の動作を図１１（ａ）により説明する。
図１１（ｂ）のロッド部762は、図３（ｄ）に示すロッド部に相当するものである。
ロッド部762のロッド本体部768の先端部は、ロッド本体部（先端部）768の中心軸から一方向のみに拡径された先端面部772と周壁部771を有するロッド拡径部769を有している。
先端面部772の一端部側には非破壊部として機能する曲面部774が形成されている。
【００５９】
作動時、拡径部769の先端面部772が衝突すると、破裂板４７が加圧ガス室50に向かって変形する。このとき曲面部774は衝突しないか、衝突した場合でも先端面部772周辺の角部よりも破裂板４７に与える衝撃が小さい。
このため、破裂板４７は、曲面部774に正対する部分は破壊されず、残部は破壊されるため、破壊されない部分が残った状態で、破壊された残部は曲面部774により押され、加圧ガス室５０側に折れ曲がってガス流出口４６が開口する。なお、ロッド本体部768は、曲面部774が形成されている部分が軸方向に延びる平面となっている。
【符号の説明】
【００６０】
１  ガス発生器
１０  筒状ハウジング
２５  点火器
３０  点火手段室ハウジング
４０  ガス流入室
４６  ガス流出口
４７  破裂板
５０  加圧ガス室
６０  破壊手段
６１  ベース部
６２  ロッド部
６３  ロッド本体部
６８  拡径部
７０  環状斜面部
７１  円板部
７２  内側円形部
７３  環状面部７３
７４  凹部
【図１】
2015223962.tif 000003
【図２】
2015223962.tif 000004
【図３】
2015223962.tif 000005
【図４】
2015223962.tif 000006
【図５】
2015223962.tif 000007
【図６】
2015223962.tif 000008
【図７】
2015223962.tif 000009
【図８】
2015223962.tif 000010
【図９】
2015223962.tif 000011
【図１０】
2015223962.tif 000012
【図１１】
2015223962.tif 000013